(57)【要約】      （修正有）【課題】携帯電話のカメラ用フラッシュを活用して別途の複雑な構成なしに発光表現を可能にし、カメラ用フラッシュから発光する光を伝達して多様なデザインや方式で発光させる携帯電話スキンを提供する。【解決手段】フラッシュ３を備えた携帯電話１の外部に配置可能なスキンであって、携帯電話１のフラッシュ３が位置する側に備えられる本体１１０、及びフラッシュ３の発光側に備えられる光入射部１２０を含んでなり、フラッシュ３が発光すれば、フラッシュ３の光の全部または一部が光入射部１２０に発光され、光入射部１２０に伝達された光は本体１１０の他の部分に拡散される。【選択図】図１０
0003189499.tif 000002
【実用新案登録請求の範囲】
【請求項１】
フラッシュを備えた携帯電話の外部に配置可能なスキンにおいて、
前記携帯電話の前記フラッシュが位置する側に備えられる本体；及び
前記フラッシュの発光側に備えられる光入射部；を含んでなり、
前記フラッシュが発光すれば、フラッシュの光の全部または一部が前記光入射部に発光され、前記光入射部に伝達された光は前記本体の他の部分に拡散されることを特徴とする、携帯電話スキン。
【請求項２】
前記本体は、前記携帯電話の前記フラッシュと対向する正面位置に開口が形成され、
前記光入射部は前記開口の側方に位置することを特徴とする、請求項１に記載の携帯電話スキン。
【請求項３】
前記本体は、前記携帯電話の前記フラッシュと対向する正面位置に前記光入射部を備えることを特徴とする、請求項１に記載の携帯電話スキン。
【請求項４】
前記光入射部は、前記携帯電話の前記フラッシュの光が特定の明るさ以上に発光する主光領域内に位置することを特徴とする、請求項１に記載の携帯電話スキン。
【請求項５】
前記光入射部は、前記フラッシュの正面より側方に位置することを特徴とする、請求項２に記載の携帯電話スキン。
【請求項６】
前記光入射部は、前記フラッシュの正面に位置する部分を含むことを特徴とする、請求項２または３に記載の携帯電話スキン。
【請求項７】
前記光入射部は、
前記フラッシュに近い側は前記フラッシュの正面より側方に位置し、前記フラッシュから遠い側は前記フラッシュの正面に対向して位置する部分があるように形成され、あるいは
前記フラッシュに近い側は前記フラッシュの正面に対向して位置する部分があるように形成され、前記フラッシュから遠い側は前記フラッシュの正面より側方に位置するように形成されることを特徴とする、請求項６に記載の携帯電話スキン。
【請求項８】
前記本体の前記フラッシュと向かい合う外側には、前記フラッシュの正面を一部または全部カバーする反射部材をさらに備えることを特徴とする、請求項２または３に記載の携帯電話スキン。
【請求項９】
前記反射部材は、前記フラッシュと向かい合う部分に反射部をさらに備え、
前記反射部で反射、屈折または導光される光は前記光入射部に入射することを特徴とする、請求項８に記載の携帯電話スキン。
【請求項１０】
前記本体は、前記本体と前記携帯電話を外側で包むカバー部材によって前記携帯電話の一面に密着して配置されることを特徴とする、請求項１に記載の携帯電話スキン。
【請求項１１】
前記本体には、陰刻または陽刻で形成されたパターン部が形成されることを特徴とする、請求項１に記載の携帯電話スキン。
【請求項１２】
前記本体には、各種の色相または蛍光物質が印刷された印刷部が形成されることを特徴とする、請求項１に記載の携帯電話スキン。
【請求項１３】
前記本体の外側にはこれを覆うように付加部材をさらに備え、
前記付加部材は、前記本体の縁部または一部を開放するように覆うことを特徴とする、請求項１に記載の携帯電話スキン。
【請求項１４】
前記本体には、前記開口を開閉するための開閉部材を備え、
前記開閉部材によって前記開口の全部または一部が開閉されることを特徴とする、請求項２に記載の携帯電話スキン。
【請求項１５】
前記開閉部材は、スライド部材と前記スライド部材に沿ってスライド移動可能なスライダーを備え、
前記スライド部材は前記開口と向かい合って配置され、前記スライダーの移動によって前記スライダーが前記開口と向かい合い、前記開口の側方に移動することができることを特徴とする、請求項１４に記載の携帯電話スキン。
【請求項１６】
前記スライド部材は、内側に開放した開口対面部が長形に形成された開口レール部を含んでなり、
前記スライダーは前記開口対面部の空間内に配置され、前記開口レール部に沿ってスライド移動することを特徴とする、請求項１５に記載の携帯電話スキン。
【請求項１７】
前記本体の上面には第２本体をさらに備え、
前記スライド部材は前記本体と前記第２本体との間に位置し、
前記本体と前記第２本体が密着し、前記スライド部材が結合されることを特徴とする、請求項１５に記載の携帯電話スキン。
【請求項１８】
前記スライダーには溝または突起が形成され、
前記開口レール部には、１箇所以上の位置に前記スライダーの溝または突起に対応して噛み合うことができる突起または溝が形成されることを特徴とする、請求項１５に記載の携帯電話スキン。
【請求項１９】
前記光入射部には外側に向かう導光溝が形成されることを特徴とする、請求項１に記載の携帯電話スキン。
【請求項２０】
前記光入射部にはレンズ溝が形成されることを特徴とする、請求項１に記載の携帯電話スキン。
【請求項２１】
前記本体の一面には接着部材を備え、
前記本体は前記接着部材によって前記携帯電話の一面に密着して結合されることを特徴とする、請求項１に記載の携帯電話スキン。
【考案の詳細な説明】
【技術分野】
【０００１】
本考案はスマートフォンのようにカメラとフラッシュモジュールを備えた携帯電話において、携帯電話の外部のスクラッチを防止し、美麗な外観で自分ばかりの個性を表出するための携帯電話スキンが本来の機能の外に、フラッシュから発光する光を伝導、屈折または反射させて外部スキンが自ら発光するようにすることで多様な効果及び美観を提供する外部スキンに関するものである。
【背景技術】
【０００２】
近年に生産される通常のスマートフォンなどの携帯電話にはカメラとこれを補助するためのフラッシュが備えられている。フラッシュは、暗所で写真や動画を撮影する場合、光を照らして事物がよく見えるようにするためのもので、撮影時に使うことが一般的である。
【０００３】
一方、このような携帯電話には、個人の個性や趣向によって多様な外形を持つ面状スキンを付着することもある。これは自体の美観によってスマートフォンなどの単調な形状及びデザインの外側を多様な形状やデザインで表現する機能を持つ。すなわち、平面や曲面のスキンの外部に多様なキャラクターを印刷したり、絵を描いたりすることもでき、多様な効果を発現してより多様で向上した美観を表現することができる。
【０００４】
このようなスキンは薄型パネルまたは合成樹脂製ステッカーのような単調な構成であるから、色相や形状などによって多様な美観を表現することはできるが、発光効果をスキン内で具現することはできなかった。すなわち、発光素子、電源、端子などはスキンの内部に備えることができず、これをスキンの内部に備えればその厚さが大きくなって構成が複雑になるから、スキンによって発光効果を出すことは試みられていない状態である。
【考案の概要】
【考案が解決しようとする課題】
【０００５】
本考案は携帯電話に付着して外部を飾るスキンにおいて、携帯電話のカメラ用フラッシュを活用して別途の複雑な構成なしに発光表現を可能にするスキンを提供することを目的とする。
【０００６】
本考案は携帯電話に付着するスキンにカメラ用フラッシュから発光する光を伝達して多様なデザインや方式で発光させることができるようにすることを目的とする。
【課題を解決するための手段】
【０００７】
前記のような目的を達成するために、本考案は、フラッシュを備えた携帯電話の外部に配置可能なスキンであって、前記携帯電話の前記フラッシュが位置する側に備えられる本体；及び前記フラッシュの発光側に備えられる光入射部；を含んでなり、前記フラッシュが発光すれば、フラッシュの光の全部または一部が前記光入射部に発光され、前記光入射部に伝達された光が前記本体の他の部分に拡散されることを特徴とする、携帯電話スキンを提供する。
【０００８】
前記本体は、前記携帯電話の前記フラッシュと対向する正面位置に開口が形成され、前記光入射部は前記開口の側方に位置することができる。
【０００９】
前記本体は、前記携帯電話の前記フラッシュと対向する正面位置に前記光入射部を備えることができる。
【００１０】
前記光入射部は、前記携帯電話の前記フラッシュの光が特定の明るさ以上に発光する主光領域内に位置することができる。
【００１１】
前記光入射部は、前記フラッシュの正面より側方に位置することができる。
【００１２】
前記光入射部は、前記フラッシュの正面に位置する部分を含むことができる。
【００１３】
前記光入射部は、前記フラッシュに近い側は前記フラッシュの正面より側方に位置し、前記フラッシュから遠い側は前記フラッシュの正面に対向して位置する部分があるように形成され、あるいは前記フラッシュに近い側は前記フラッシュの正面に対向して位置する部分があるように形成され、前記フラッシュから遠い側は前記フラッシュの正面より側方に位置するように形成されることができる。
【００１４】
前記本体の前記フラッシュと向かい合う外側には、前記フラッシュの正面を一部または全部カバーする反射部材をさらに備えることができる。
【００１５】
前記反射部材は、前記フラッシュと向かい合う部分に反射部をさらに備え、前記反射部で反射、屈折または導光される光は前記光入射部に入射することができる。
【００１６】
前記本体は、前記本体と前記携帯電話を外側で包むカバー部材によって前記携帯電話の一面に密着して配置されることができる。
【００１７】
前記本体には、陰刻または陽刻で形成されたパターン部が形成されることができる。
【００１８】
前記本体には、各種の色相または蛍光物質が印刷された印刷部が形成されることができる。
【００１９】
前記本体の外側にはこれを覆うように付加部材をさらに備え、前記付加部材は、前記本体の縁部または一部を開放するように覆うことができる。
【００２０】
前記本体には、前記開口を開閉するための開閉部材を備え、前記開閉部材によって前記開口の全部または一部が開閉されることができる。
【００２１】
前記開閉部材は、スライド部材と前記スライド部材に沿ってスライド移動可能なスライダーを備え、前記スライド部材は前記開口と向かい合って配置され、前記スライダーの移動によって前記スライダーが前記開口と向かい合ったり、前記開口の側方に移動することができる。
【００２２】
前記スライド部材は、内側に開放した開口対面部が長形に形成された開口レール部を含んでなり、前記スライダーは前記開口対面部の空間内に配置され、前記開口レール部に沿ってスライド移動することができる。
【００２３】
前記本体の上面には第２本体をさらに備え、前記スライド部材は前記本体と前記第２本体との間に位置し、前記本体と前記第２本体が密着し、前記スライド部材が結合されることができる。
【００２４】
前記スライダーには溝または突起が形成され、前記開口レール部には、１箇所以上の位置に前記スライダーの溝または突起に対応して噛み合うことができる突起または溝が形成されることができる。
【００２５】
前記光入射部には外側に向かう導光溝が形成されることができる。
【００２６】
前記光入射部にはレンズ溝が形成されることができる。
【００２７】
前記本体の一面には接着部材が備えられ、前記本体は前記接着部材によって前記携帯電話の一面に密着して結合されることができる。
【考案の効果】
【００２８】
本考案は携帯電話用スキンがフラッシュの強い光を用いて多様な方式で発光表現ができるようにすることで、外部から発光の有無を易しく認知して発現することができる効果を持つ。
【００２９】
また、本考案は携帯電話用スキンが多様な外部デザインや方式で発光することができ、美観を向上させ、消費者の個性的な趣向を満足させることができる効果を持つ。
【図面の簡単な説明】
【００３０】
【図１】一般的な携帯電話の外観を示す図である。
【図２】一般的な携帯電話の背面を示す図である。
【図３】一般的な携帯電話のカメラモジュールを拡大して示す図である。
【図４】一般的な携帯電話のカメラモジュールに要求される空間領域を示す図である。
【図５】一般的な携帯電話の外部補助ケースを示す図である。
【図６】一般的な携帯電話の外部補助ケースが携帯電話に装着された状態を示す図である。
【図７】従来の外部補助ケースと本考案のスキンの概念差を説明する図である。
【図８】本考案のスキンと光入射部の多様な実施例を示す図である。
【図９ａ】本考案のスキンの光入射部に反射部材が備えられた実施例を示す図である。
【図９ｂ】本考案のスキンの光入射部に反射部材が備えられた実施例を示す図である。
【図９ｃ】本考案のスキンの光入射部に反射部材が備えられた実施例を示す図である。
【図９ｄ】本考案のスキンの光入射部に反射部材が備えられた実施例を示す図である。
【図９ｅ】本考案のスキンの光入射部に反射部材が備えられた実施例を示す図である。
【図１０】本考案の保護スキンの実施例を示す図である。
【図１１】本考案の保護スキンの実施例を示す図である。
【図１２】本考案の保護スキンの実施例を示す図である。
【図１３】本考案の保護スキンの他の実施例を示す図である。
【図１４】本考案の保護スキンの他の実施例を示す図である。
【図１５】本考案の保護スキンの他の実施例を示す図である。
【図１６】本考案の保護スキンの他の実施例を示す図である。
【図１７】本考案の保護スキンの他の実施例を示す図である。
【図１８】本考案の保護スキンの他の実施例を示す図である。
【図１９】本考案の保護スキンのさらに他の実施例を示す図である。
【図２０】本考案の保護スキンのさらに他の実施例を示す図である。
【図２１】本考案の保護スキンのさらに他の実施例を示す図である。
【図２２】本考案の保護スキンのさらに他の実施例を示す図である。
【図２３】本考案の保護スキンのさらに他の実施例を示す図である。
【図２４】本考案の保護スキンのさらに他の実施例を示す図である。
【図２５】本考案の保護スキンのさらに他の実施例を示す図である。
【図２６】本考案の保護スキンに開閉部材が適用された実施例を示す図である。
【図２７】本考案の保護スキンに開閉部材が適用された実施例を示す図である。
【図２８】本考案の保護スキンに開閉部材が適用された実施例を示す図である。
【図２９】本考案の保護スキンに開閉部材が適用された実施例を示す図である。
【考案を実施するための形態】
【００３１】
以下、添付図面に示す本考案の実施例を参照して本考案の構成を詳細に説明する。
【００３２】
図１は一般的な携帯電話の外観を示す図、図２は一般的な携帯電話の背面を示す図、図３は一般的な携帯電話のカメラモジュールを拡大して示す図である。
【００３３】
同図を参照すれば、通常のスマートフォンなどの携帯電話はバー型のパネル状を取っており、ディスプレイが設置された反対側にはカメラモジュールが備えられている。
【００３４】
携帯電話１の背面上端部にはカメラ２が備えられ、その傍には撮影に必要な光を供給するためのフラッシュ３が備えられる。図面において、カメラ２とフラッシュ３との間にある構成はスピーカーである。フラッシュ３は、カメラ２のレンズが向かっている方向に発光するように側方に離隔して設置されており、携帯電話１のバッテリー電源を用いて瞬間的に強い光を放射する。
【００３５】
図４は一般的な携帯電話のカメラモジュールに要求される空間領域を示す図である。図４を参照すれば、図２の矢印を基準とした側面を表示したものであり、図面に表示された線は携帯電話１の製造時に規定された必要形式によって要求される空間である。カメラ２に表示されたＢ−Ｂ線の間の空間は正常撮影のために必要な空間であり、フラッシュ３に表示されたＣ−Ｃ線の間の空間はフラッシュ３の光を円滑に放射するために必要な空間である。したがって、スマートフォンのような携帯電話１の外部スキンを構成するときには、カメラ及びフラッシュの機能を邪魔しないために、少なくともＢ−Ｂ領域及びＣ−Ｃ領域は遮られないようにして余裕のある開放空間をなすようになる。通常Ｂ−Ｂ領域はカメライメージコーンといい、カメラ内の結像基準点などを中心として９０°に定義され、Ｃ−Ｃ領域はフラッシュコーンといい、発光基準点などを中心として１００°に定義される。前記数値は携帯電話１のメーカーによって部品の仕様や形式によって多少増減することができる。
【００３６】
フラッシュコーンはフラッシュが発光する主光領域を保護するために定義されたもので、フラッシュ３から放射される光が集中して出力される部分であるので、主光領域が外部ケースやアクセサリーなどで遮られる場合は、写真や動画の撮影に必要な光が足りなかったり正常に放射されなくなる。
【００３７】
図５は一般的なスマートフォンの外部補助ケースを示す図、図６は外部補助ケースがスマートフォンに装着された状態を示す図である。図面を参照すれば、補助ケース１０には、カメライメージコーン領域とフラッシュコーン領域を開放するための開放口２０が形成されており、開放口２０の内周面は、図６に示すように、フラッシュ３の境界からかなり離隔して主光領域を侵入しないように形成される。このような形状がこれまでの補助ケース１０に共通したものであった。
【００３８】
一方、最近のスマートフォンなどの携帯電話は、尖端の内部インターフェース及び制御機能を備えている。通常のスマートフォンなどはカメラの撮影時にだけフラッシュが発光するようになっている。スマートフォンに特定プログラムやアプリケーションなどを設置したり、あるいは内部設定を変更することにより、撮影時にだけではなく、他の時にもフラッシュが断続的に発光するようにする。例えば、文字メッセージが受信されたとき、または文字メッセージを発信したときや電話がかけられたとき、または電話をかけるとき、またはスマートフォンの内部に備えられた無線決済モジュールによって公共交通機関費の決済などが遂行されるとき、これを知らせるために一回または一定時間の間に繰り返して点滅させることができる。または、スマートフォンから発生する音声や音楽リズムに合わせて点滅するようにすることもできる。
【００３９】
この際、発光に必要な電力は携帯電話の電源を使うので、前述した従来技術での誘導電流によるときよりずっと明るい光を出すようになる。このような発光機能によって、スマートフォン使用者は、手軽くこのようなイベント、つまり文字メッセージ、電話送受信、決済などの事実を易しく把握することができ、さらに外部美観が向上し、興味と楽しさを誘発する効果を持つようになる。ところで、フラッシュは使用者が主に観察するディスプレイの反対側、つまりスマートフォンのような携帯電話の正面ではない背面側に位置しているから、発光するとしても使用者には発光が直接見えなくなるので、このような発光機能が無意味になる。また、バスのような公共交通機関に搭乗するとき、運転者側に備えられるカード決済装置に決済モジュールを備えたスマートフォンの背面を近接させる場合、決済とともに運転者に向かってフラッシュが発光し、使用者は発光効果を感じることができなくて運転者の視野を邪魔する問題がある。したがって、本考案は、フラッシュの発光のために侵入することができなかったフラッシュコーンのような主光領域に後述する構成を導入することで、既存には考えられなかったフラッシュ発光を多様に活用して各種の周辺装置、つまり保護スキンに結合しようとする。ここで、装着という用語の意味は辞書の意味より広い意味に使われ、スマートフォンのような携帯電話のフラッシュ側に保護スキンが位置を維持して配置できるようにする多様な方式の結合、接着、締結、支持などを含む意味に解釈されなければならない。
【００４０】
図７は従来の外部補助ケースと本考案のスキンの概念差を説明する図である。図７を参照すれば、前述したように、主光領域を確保するためのフラッシュコーンが定義されている（ａ）。したがって、（ｂ）のように、従来の外部補助ケース１０などの装着部材の開放口２０は、主光領域を遮らないために、カメライメージコーン（Ｂ−Ｂ）、フラッシュコーン（Ｃ−Ｃ）に補助ケース１０の内周縁がかからないように開放口２０が広く形成されている。
【００４１】
本考案はこのような従来の技術に対する逆発想によるもので、（ｃ）のように外部装着部材１００の縁部がフラッシュコーン（Ｃ−Ｃ）の内部まで侵入する部分（Ｄ）を備え、フラッシュ３から放射される光が主光領域に放射されるとともに一部または全部が外部装着部材１００の内部に入射したり乱反射や反射しながら導光され、矢印（Ｅ）のように保護スキン１００を通じて伝達されたり発光されるようにすることを基本原理とする。すなわち、フラッシュ３の前方の主光領域の一部または全部にかかる保護スキン１００を通じて、フラッシュ３から放射される光が保護スキン１００の他の部分で発現できるようにする。
【００４２】
図８は本考案の保護スキンと光入射部の多様な実施例を示す図である。図８の（ａ）を参照すれば、保護スキン１００は本体１１０と開口１３０を備え、開口１３０側には縁部に沿って光入射部１２０が定義される。本体１１０はスマートフォンなどの携帯電話の背面に接着剤などで付着される導光や発光の機能のパッチ型パネルからなる。開口はカメラのイメージコーンに対応して形成された開放空間とは別に形成されることもでき、この部分に連結されて形成されることもできる。
【００４３】
（ａ）の場合、開口１３０が広く形成され、光入射部１２０がフラッシュ３の正面及びフラッシュコーン（Ｃ−Ｃ）領域から外れているので、主光が光入射部１２０に導入されない。
【００４４】
（ｂ）の場合、開口１３０の大きさがフラッシュ３の面積より若干大きい又は同一に構成され、その縁部の光入射部１２０がフラッシュ３の正面を遮らないながらも近接して位置する状態である。この際、フラッシュコーン（Ｃ−Ｃ）領域に光入射部１２０がかかっているので、フラッシュ３の主光の一部が光入射部１２０に入射し、矢印のように光が本体１１０内で導光または乱反射されて外側に伝達される。保護スキン１００は色相があるか、または透明、半透明及び不透明などの多様な機能の合成樹脂などから構成されることができ、基本的に導光、乱反射の性能がある材質を使って構成することが好ましい。
【００４５】
（ｃ）の場合、開口１３０がもっと小さく形成され、光入射部１２０がフラッシュ３の正面にまで延びて配置されるように構成されることができ、この場合、（ｂ）の場合よりもっと多い主光が光入射部１２０に導入される。
【００４６】
（ｄ）の場合、開口１３０の縁部、つまり光入射部１２０の下側はフラッシュ３の正面の面積と同じにするかまたは大きくし、下側はフラッシュ３の正面を遮るように斜めにまたは階段式で構成されたものである。
【００４７】
（ｅ）の場合、開口１３０がなく、フラッシュ３の正面を光入射部１２０が完全に覆うように構成されたものである。この場合、フラッシュ３の主光領域を光入射部１２０が完全に覆っているので、多量の光が光入射部１２０を通じて側方に導光、乱反射または屈折されて伝達できる。
【００４８】
図９は本考案の保護スキンの光入射部に反射部材を備えた実施例を示す図である。図９aを参照すれば、フラッシュ３と開口１３０の正面に反射部材１４０を備えている。反射部材１４０はフラッシュ３から出力される光をさらに反対方向に反射または屈折させるための構成のもので、ステッカー方式で接着される、あるいは多様な方式で結合されることができ、脱着可能に結合されるように配置される。反射部材１４０は不透明なものが性能の面で一番よいが、半透明材で構成されても、入射光をさらに本体１１０の光入射部１２０側に反射、乱反射、屈折または導光させることが可能である。反射部材１４０は、導光性能を有するフィルム、パネルなどで構成されることができ、反射可能になるように銀色または他の色相を有する外面を持つように構成されることもできる。
【００４９】
フラッシュ３から強い光が発光すれば、反射部材１４０によって開口１３０の内部に強い光が照らされ、光入射部１２０を通じて光が本体１１０側に向かうようになる。反射部材１４０が備えられた場合には、図面のように、開口１３０がフラッシュ３より大きく形成されるようにしても構わないが、図８の（ｂ）〜図８の（ｅ）のような実施例の構成にも反射部材１４０を備えることができる。
【００５０】
特に、（ｅ）のように、光入射部１２０がフラッシュ３の前面にある場合にも、その外側に反射部材１４０を備えれば、本体１１０側に導光される光は非常に強くなる。これは図９ｂに示すようである。
【００５１】
一方、図９ａの反射部材１４０に代わって、開閉可能な開閉部材を同一位置に配置することもできる。
【００５２】
図９ｃを参照すれば、光入射部１２０の外側に反射部材１４０が備えられ、保護スキン１００の本体１１０及び反射部材１４０にはカメラ２に相当する通孔だけ形成され、フラッシュと向かい合う光入射部１２０は閉鎖されており、反射部材１４０も閉鎖されている。この際、光入射部１２０に入射した光及び反射部材１４０で反射された光が保護スキン１００の導光領域の全体に均一に拡散されるようにするため、導光溝１２２を光入射部１２０及びその周りに形成することができる。導光溝１２２は光入射部１２０に形成され、外側に向かって延びる形状を持つようにすることが好ましく、開口が形成された状態でもその側方の光入射部１２０に同様に形成されることができる。また、図面のように、反射部材１４０とともに作用するようにすることもできるが、反射部材１４０がない場合にも導光溝１２２が形成できる。導光溝１２２はプロッタによるカッティングで形成される、又はプレス方式で形成されることができ、図９ｄのように、光入射部１２０にわたって形成される導光溝１２２はガイド管の役目をし、光を乱反射または導光させて導光溝１２２に沿って陰影領域に伝達されるようにする。
【００５３】
図９ｅを参照すれば、（ａ）は導光溝１２２の他の実施例の断面を示すものであり、（ｂ）及び（ｃ）のように、同一位置に凹溝１２４を導光溝１２２より若干大きく形成することもできる。
【００５４】
レンズ溝１２３、１２４は円盤形１２４または半球形１２３に形成され、フラッシュから発光された光がレンズ溝１２３、１２４に入射して屈折されるようにすることにより、多様な方向に光が均一に導光されるようにするレンズの役目をする。
【００５５】
図１０〜図１２は本考案の保護スキンの実施例を示す図である。図１０を参照すれば、携帯電話１の外部に保護スキン１００が付着された状態である。本体１１０には、カメラ２のための開放口とフラッシュのための開口１３０が備えられ、開口１３０の縁部には光入射部１２０が備えられる。光入射部１２０はフラッシュ３の前方を一部遮っている図８の（ｃ）のような形態に適用された。
【００５６】
図１１及び図１２を参照すれば、フラッシュの光が光入射部１２０に導入され、保護スキン１００の縁部と、これに備えられたパターン部キャラクターのデザインで発光する実施例を示すものである。保護スキン１００として、携帯電話の背面に平板型パネル部材を配置しておいた状態で、フラッシュの発光時に光が表現される形状を比較して示すものである。パネル部材はスマートフォンに付着されることができ、多様な方式で結合されることができる。
【００５７】
図１３〜図１８は本考案の保護スキンの他の実施例を示す図である。図１３及び図１４を参照すれば、携帯電話１のフラッシュ側にパネル型本体１１０を備え、これを外側のカバー部材１６０で覆って結合することも可能である。
【００５８】
保護スキン１００は透明または半透明、あるいは有色の合成樹脂導光板を使うことができ、携帯電話１の背面形状によって図１３のように平面状に形成される、または図１５のように曲面状に形成されるようにすることもできる。パネル部材１５０には同様に開口１３０が形成され、その周りに沿って光入射部１２０が備えられる。このような保護スキン１００は単独で携帯電話１に付着、接着または固定されることができ、図示のように、さらにカバー部材１６０が被せられて密着して配置されることもできる。また、保護スキン１００とカバー部材１６０が射出成形などの工程時に一体化したり、前もってカバー部材１６０側に保護スキン１００が結合された後、カバー部材１６０が携帯電話１に結合されたり等被せられるように構成されることもできる。
【００５９】
図１４を参照すれば、左側のようにスマートフォンの背面に保護スキンが配置された後、保護スキンを備えた状況で中間のようにカバー部材１６０が被せられるようになる。この後、フラッシュが発光すれば、右側の写真のように保護スキンによって導光された光がカバー部材１６０の縁部などで放射されて発光効果を出すようになる。
【００６０】
このように結合が完成されれば、図１６〜図１８のように現れる。外側にはカバー部材１６０が携帯電話１を包み、その内部には保護スキン１００が備えられている。フラッシュ３から発光される光は保護スキン１００に沿って導光されてカバー部材１６０の内側全面で発光する、あるいはカバー部材１６０の一部が開放するかまたは透明に形成されることにより外側に光が発現するようにすることもできる。図１７のＡ−Ａ線についての断面図である図１７（ｂ）を見れば、携帯電話１とカバー部材１６０の間に薄板型パネルの保護スキン１００が配置されており、保護スキン１００に備えられる開口１３０の側方の光入射部１２０から入射するフラッシュ３の光は保護スキン１００の全体にわたって導光され、多様な方式で光が表現できる。図１８の写真を見れば、カバー部材１６０の開放口内に露出された透明保護スキン１００がフラッシュ１３の前方に光入射部１２０が配置されていることが分かる。
【００６１】
図１９〜図２１は本考案の保護スキンのさらに他の実施例を示す図である。図１９を参照すれば、保護スキン１００にはパターン部１５２を形成することもできる。パターン部１５２は断面Ｖ字形またはＵ字形の溝を刻むことで形成する、又はプレスで形成することができる。このような溝部においては、その断面に光が結んで周囲より明るく現れるため、各種の図案、文字、絵などのパターンによって多様なデザイン、情報、広告などを伝達することもできるようになる。また、パターン部の代わりに有色物質や蛍光物質を本体の表面に印刷した印刷部を形成することもできる。印刷部は、各種の文字、キャラクター、図形などを表現することができる。
【００６２】
また、カバー部材１６０と保護スキン１００には、前述した反射部材１４０を備えることができる。反射部材１４０はカバー部材１６０側に結合されることができ、フラッシュ３と向かい合う位置に配置される。図２０を参照すれば、左側には透明保護スキン１００、中間には保護スキンまたはカバー部材に結合される反射部材１４０、右側にはカバー部材１６０の形状が現れている。
【００６３】
図２１を参照すれば、（ａ）は反射部材１４０がカバー部材１６０に結合され、保護スキン１００と向かい合っている状態である。（ｂ）はこの部分の横断面図、（ｃ）は縦断面図である。カバー部材１６０の開放口の縁部には結合のための突出結合部１６３が形成され、反射部材１４０には、これと噛み合う溝結合部１４３が形成され、これらが互いに噛み合うことによって結合される。反射部材１４０やカバー部材１６０は形状が変形するか歪むことによって互いに脱着できる。または、図面に示されてはいないが、他の方式で結合されたり、接着されることもできる。
【００６４】
反射部材１４０の内側には定着部１４１が形成され、定着部１４１内にはさらに反射部１４２が形成される、又は結合されることができる。反射部１４２は鏡のように光を反射させる等導光板のように光を導光させる素材から構成され、入射光を単独でまたは反射部材１４０の定着部１４とともに屈折、反射、乱反射または伝導させる構成である。フラッシュ３から発光された光は開口１３０を経って反射部１４２で反射されて保護スキン１００の光入射部１２０に入射する。もちろん、この際、光入射部１２０に直接入射することができるように、光入射部１２０と開口１３０の形状、位置及び条件は前述したように多様に構成することができる。一方、カメラ２と対向する部分には開放口１４４を形成することができる。
【００６５】
図２２〜図２５は本考案の保護スキンのさらに他の実施例を示す図である。図２２を参照すれば、保護スキンは、本体１１０に他の付加部材１５０を突き合わせて配置することもできる。すなわち、本体１１０の一面に人造皮や刷り物などを接着剤や粘着テープ（図示せず）で結合させて外部アクセサリーを構成することもできる。図２０のように、本体１１０の一面に光がなかなか透過できない人造皮や纎維を付ける場合には、本体１１０に導光された光が面では露出されず、側方の縁部に沿って発光して縁部を飾ることができる。また、付加部材１５０の一部を開放する、または文句、ロゴ、商標、広告などが表示された形状に開放されている場合には、該当の部分で光が露出されて外部に発現することができるようになる。
【００６６】
この際、反射部材１４０を結合することもできる。反射部材１４０は、図２３（ａ）のＡ−Ａ線についての断面図（ｂ）によれば、本体１１０の開放口に挿入される挿入結合部１４５が挿合されることができる。
【００６７】
一方、（ａ）のように、本体１１０より付加部材１５０のサイズを若干小さくすれば、本体１１０の縁部で発光することで、発光の際に縁部ラインが発光するものとして発現される。
【００６８】
図２４を参照すれば、左側の保護スキン１００に反射部材１４０が結合されて右側のように配置されたものを示したものである。保護スキン１００にはキャラクターパターンが形成されているので、前述したように、多様なデザイン、形状、絵、広告、文句、ロゴなどを発光することができるようになる。このような保護スキン１００は接着またはその他の多様な方式で結合される、あるいは他の手段と一緒に備えられることもできることは前述の通りである。
【００６９】
図２５を参照すれば、保護スキン１００の外面に付加部材１５０として人造皮が結合された状態を示すものである。この際、付加部材１５０にはスマートフォン製造社のロゴが孔によって表現でき、発光の際には、右側の写真のように縁部とロゴ部との境界が明るく照らされることができるようになる。
【００７０】
図２６〜図２９は本考案の保護スキンに開閉部材が適用された実施例を示す図である。図２６を参照すれば、保護スキン１００は、本体の開口１３０を開閉することができるスライド方式の開閉部材１７０を備える。開閉部材１７０は本体１１０の開口１３０に結合されて開口１３０を遮っていて、使用者の操作によってスライドして開放することができる構造である。
【００７１】
本体１１０の下側には接着部材１１６を備えることで、携帯電話に付着することができるようになる。本体１１０にはさらに第２本体１１２が上側に備えられることができる。第２本体１１２には第２開口対面部１１３が開放形成され、開閉部材１７０のスライド部材１７４の上下側で本体１１０とともに固定させる役目をする。
【００７２】
開閉部材１７０はスライダー１７１とスライド部材１７４を含み、スライダー１７１はスライド部材１７４内でスライドしながら動く。第２本体１１２の上側にはさらに第３本体１１４を備えることもでき、第３本体１１４には、スライダー１７１の上面が露出されるように、対応する位置に操作部１１５が開放形成されることが好ましい。
【００７３】
図２７を参照すれば、スライド部材１７４は開口レール部１７５を備える。開口レール部１７５は長形の開口対面部１７６が形成された空間の縁部をなし、この部分にスライダー１７１が挿入されたままで移動する。スライダー１７１は開口対面部１７６内に位置し、開口レール部１７５に沿ってスライド移動する。このために、スライダー１７１は開口対面部１７６の一部をカバーするサイズに形成される。開口レール部１７５の側方には、カメラのレンズと対面して開放口を形成するカメラ対面部１７７が形成されることが好ましい。
【００７４】
スライダー１７１は、開閉部１７３を基本構成とし、その上部に突出部１７２がさらに形成される。突出部１７２によって人が指で開閉部１７３の位置を調整することができるようになる。また、スライダー１７１の位置を維持するため、スライダー１７１の側方には突起１７３ａが形成され、開口レール部１７５の内側にも１箇所または２箇所に切欠部１７５ａ、１７５ｂを形成することができる。突起１７３ａはスライドして２対の切欠部１７５ａ、１７５ｂと噛み合うことで所望の位置を維持することができるようになる。切欠部と突起の位置はスライダー１７１と開口レール部１７５に選択的に変更して形成されることができる。
【００７５】
図２８及び図２９を参照すれば、スライダー１７１の動作を示す断面図である。スライダー１７１を図２９（ａ）のように押し付ければ、開口１３０が閉まり、（ｂ）のように押し付ければ、開口１３０が開く。スライダー１７１が開口１３０を閉めている状態でフラッシュが開口１３０側に発光すれば、スライダー１７１によって光が外部に放射されないで反射され、本体１１０側にもっと多く入射し、発光強度がもっと高くなる。
【００７６】
スライダー１７１は反射部材１４０と同様にフラッシュの光をさらに内側に反射、屈折、乱反射、または導光させることができ、鏡のような反射機能を果たす、あるいは導光板のように導光機能を果たす素材から構成することができる。
【００７７】
この際、開閉部材１７０は下側から本体１１０、第２本体１１２及び第３本体１１４によってそれらの間の空間に挟支される。
【００７８】
本考案は前述したような典型的な好適な実施例にだけ限定されるものではなく、本考案の要旨を逸脱しない範疇内で多様に改良、変更、取替または付加して実施することができるのは当該技術分野で通常の知識を持った者であれば容易に理解可能であろう。このような改良、変更、取替または付加による実施が以下の添付特許請求範囲の範疇に属するものであるなら、その技術思想も本考案に属するものに見なければならない。
【産業上の利用可能性】
【００７９】
本考案は、カメラとフラッシュモジュールを備えた携帯電話に適用可能である。
【符号の説明】
【００８０】
１    携帯電話
２    カメラ
３    フラッシュ
１０    保護スキン
２０    開放口
１００    外部装着部材
１１０    本体
１２０    光入射部
１３０    開口
１４０    反射部材
１５０    付加部材
１６０    カバー部材
１７０    開閉部材
１７１    スライダー
１７４    スライド部材
【図１】
0003189499.tif 000003
【図２】
0003189499.tif 000004
【図３】
0003189499.tif 000005
【図４】
0003189499.tif 000006
【図５】
0003189499.tif 000007
【図６】
0003189499.tif 000008
【図７】
0003189499.tif 000009
【図８】
0003189499.tif 000010
【図９ａ】
0003189499.tif 000011
【図９ｂ】
0003189499.tif 000012
【図９ｃ】
0003189499.tif 000013
【図９ｄ】
0003189499.tif 000014
【図９ｅ】
0003189499.tif 000015
【図１０】
0003189499.tif 000016
【図１１】
0003189499.tif 000017
【図１２】
0003189499.tif 000018
【図１３】
0003189499.tif 000019
【図１４】
0003189499.tif 000020
【図１５】
0003189499.tif 000021
【図１６】
0003189499.tif 000022
【図１７】
0003189499.tif 000023
【図１８】
0003189499.tif 000024
【図１９】
0003189499.tif 000025
【図２０】
0003189499.tif 000026
【図２１】
0003189499.tif 000027
【図２２】
0003189499.tif 000028
【図２３】
0003189499.tif 000029
【図２４】
0003189499.tif 000030
【図２５】
0003189499.tif 000031
【図２６】
0003189499.tif 000032
【図２７】
0003189499.tif 000033
【図２８】
0003189499.tif 000034
【図２９】
0003189499.tif 000035
【手続補正書】
【提出日】平成26年1月21日(2014.1.21)
【手続補正１】
【補正対象書類名】図面
【補正対象項目名】図１１
【補正方法】変更
【補正の内容】
【図１１】
0003189499.tif 000036
【手続補正２】
【補正対象書類名】図面
【補正対象項目名】図１４
【補正方法】変更
【補正の内容】
【図１４】
0003189499.tif 000037
【手続補正３】
【補正対象書類名】図面
【補正対象項目名】図１６
【補正方法】変更
【補正の内容】
【図１６】
0003189499.tif 000038
【手続補正４】
【補正対象書類名】図面
【補正対象項目名】図１７
【補正方法】変更
【補正の内容】
【図１７】
0003189499.tif 000039
【手続補正５】
【補正対象書類名】図面
【補正対象項目名】図２３
【補正方法】変更
【補正の内容】
【図２３】
0003189499.tif 000040
【手続補正６】
【補正対象書類名】図面
【補正対象項目名】図２４
【補正方法】変更
【補正の内容】
【図２４】
0003189499.tif 000041
【手続補正７】
【補正対象書類名】図面
【補正対象項目名】図２５
【補正方法】変更
【補正の内容】
【図２５】
0003189499.tif 000042